(57)【要約】      （修正有）【課題】透明または透光性を有する多層構造の異なる二つの面への絵柄の印刷によって、絵柄間に奥行差が生まれる原理を利用し、また、背後に半透明な層と着色された層を順に有することで、正面から入射した光によって生まれる絵柄の影が拡散される原理を利用した立体視検査器を提供する。【解決手段】１つの絵柄のみを透明アクリル板６の表面に印刷し、複数の他の絵柄を透明アクリル板の奥方向に位置する半透明アクリル板７の表面に印刷することにより、１つの絵柄のみが透明アクリル板６の厚み分だけ手前に浮き上がって見えるようにする。また、半透明アクリル板７の背後に不透明白色アクリル板８を設ける。絵柄の影が拡散されて影が見えにくくなるため、検査をする上で見やすく取扱い運搬が容易となる。【選択図】図２
0003212683.tif 000002
【実用新案登録請求の範囲】
【請求項１】
少なくとも２以上の同一の絵柄が、大きさと傾きを同一に保ったまま、透明または透光性を有する多層構造の異なる複数層に、正面から見たときに各々の絵柄が重ならないように配置され、前記正面から見たときに該絵柄の奥行が一つだけ異なって見えることを特徴とする立体視検査器。
【請求項２】
前記多層構造において、最も奥方向に配置された絵柄の背後に半透明な層と着色された層を順に有し、前記正面から入射した光によって生まれる絵柄の影が拡散され、前記正面から見たときに強い光が入射していても該影が見えにくくなることを特徴とする、請求項１項記載の立体視検査器。
【考案の詳細な説明】
【技術分野】
【０００１】  本考案は、被験者の立体視機能（ｓｔｅｒｅｏ  ｖｉｓｉｏｎ）を測定するための立体視検査器に関するものである。
【背景技術】
【０００２】  立体視機能の測定には、透明な板の表面の中央部付近に、大きさと傾きの異なる複数の細かな絵柄（ランダムパターン）が、総体として特定の形状（例えば自動車のシルエット）を構成するよう印刷し、かつ、該板の裏面の、表面に構成した該形状の周辺部に相当する領域に、正面から見たときに各々の絵柄が重ならないように同様のランダムパターンを配置することにより、正面から見たときに該形状部分が該板の厚み分だけ浮き上がって見えることを特徴とする、ランダムパターン方式の立体視検査器や、あるいは、異なる形状（例えば星や月のシルエット）に切り抜いた複数の板状の指標を、奥行きが異なるように設置し、背後に均一な面光源を配置することにより、影を作ることなく、なおかつ該指標の奥行が異なって見えることを特徴とする、実視標方式の立体視検査器が用いられてきた。
【先行技術文献】
【非特許文献】
【０００３】
【非特許文献１】Ｊｏｈｎ  Ｐ  Ｆｒｉｓｂｙ、Ｈｅｌｅｎ  Ｄａｖｉｓ、Ｋｅｖｉｎ  ＭｃＭｏｒｒｏｗ著「Ａｎ  ｉｍｐｒｏｖｅｄ  ｔｒａｉｎｉｎｇ  ｐｒｏｃｅｄｕｒｅ  ａｓ  ａ  ｐｒｅｃｕｒｓｏｒ  ｔｏ  ｔｅｓｔｉｎｇ  ｙｏｕｎｇ  ｃｈｉｌｄｒｅｎ  ｗｉｔｈ  ｔｈｅ  ｆｒｉｓｂｙ  ｓｔｅｒｅｏｔｅｓｔ」、Ｅｙｅ誌（１９９６年）、第１０巻、２８６ページから２９０ページ
【非特許文献２】Ｗ  Ｅ  Ａｄａｍｓ、Ｓ  Ｈｒｉｓｏｓ、Ｓ  Ｒｉｃｈａｒｄｓｏｎ、Ｈ  Ｄａｖｉｓ、Ｊ  Ｐ  Ｆｒｉｓｂｙ、Ｍ  Ｐ  Ｃｌａｒｋｅ著「Ｆｒｉｓｂｙ  Ｄａｖｉｓ  ｄｉｓｔａｎｃｅ  ｓｔｅｒｅｏａｃｕｉｔｙ  ｖａｌｕｅｓ  ｉｎ  ｖｉｓｕａｌｌｙ  ｎｏｒｍａｌ  ｃｈｉｌｄｒｅｎ」、Ｂｒｉｔｉｓｈ  Ｊｏｕｒｎａｌ  ｏｆ  Ｏｐｈｔｈａｌｍｏｌｏｇｙ誌（２００５年１１月）、第８９巻１１号、１４３８ページから１４４１ページ
【考案の概要】
【考案が解決しようとする課題】
【０００４】  ランダムパターン方式は、疎らに散在する複数の絵柄によって曖昧に構成される形状が何であるかを被験者が答えなければならず、高齢者、幼児あるいは検査に不慣れな人には不向きであり、また正面から入射した光によって生成されるランダムパターンの影によって正確な立体視が阻害される欠点があり、あるいは該影ができないようにするためには背景物との距離を十分に空けるため検査者が検査器を常に空中に保持しながら検査を行う必要があるという欠点があった。また実視標方式は、面光源を発光させるための電源が必要であり、かつ指標に外形上凹凸があるため検査器が壊れやすく取り扱いや運搬が困難な欠点があった。
【課題を解決するための手段】
【０００５】  本考案は、同一の絵柄を、大きさと傾きを同一に保ったまま、透明な層の複数の面に印刷することで、正面から見たときに該絵柄そのものの奥行が異なって見えるため、ランダムパターン方式の欠点である形状の曖昧さを排除すると共に、奥行きが印刷によって再現されるため、実視標方式の欠点である外形上の凹凸を無くすことができ、また、背後に半透明な層と着色された層を順に有することで、正面から入射した光によって生成される絵柄の影が拡散され、正面から見たときに該影が見えにくくなることで、ランダムパターン方式において影ができる問題と、実視標方式において面光源が必要になる問題を同時に解決する。
【考案の効果】
【０００６】  上述の様に、本考案の立体視検査器は、絵柄そのものの奥行が異なって見えるため形状の曖昧さが無く厳密な検査が可能であり、奥行きが印刷によって再現されるため外形上凹凸が無く取り扱いや運搬が容易であり、また影が見えにくいため設置場所を選ばず検査が可能であり、なおかつ面光源や電源が必要ないため電源設備が不十分な場所（例えば往診先、検診会場や発展途上国の村落病院もしくはスクリーニングキャンプ）でも使用可能である。
【図面の簡単な説明】
【０００７】
【図１】本考案の立体視検査器の一実施例を示す正面図である。
【図２】図１に示すＡ−Ａ断面図である。
【図３】図２に示す透明アクリル板６の正面図である。
【図４】図２に示す半透明アクリル板７の正面図である。
【考案を実施するための形態】
【０００８】  保護層となる透明なアクリル板と、所与の奥行差に応じた厚みを持ち表面に絵柄を印刷した透明なアクリル板と、影を拡散するのに十分な厚みを持ち表面に絵柄を印刷した半透明のアクリル板と、不透明で白色などに着色されたアクリル板とが、順に貼り合わされる。ここで該奥行差はアクリル板の屈折率に応じて実際の厚みよりも縮まって見えるため、屈折率を考慮した分だけ厚みを増した設計とする。
【実施例】
【０００９】  以下、添付図面に従って一実施例を説明する。図１は、立体視検査器を正面方向から見た図である。図１において手前側が本考案における正面方向、奥側が本考案における奥方向となる。図２は図１に示すＡ−Ａ断面図であり、図中上側が本考案における正面方向、図中下側が本考案における奥方向となる。図１において、絵柄１、絵柄２、絵柄３及び絵柄４は同一の絵柄が、大きさと傾きを同一に保ったまま正面視で重ならない位置に視認できる状態になっている。【００１０】  図１に示すように、正面からは絵柄１から４が見えるが、このうち絵柄１は図２に示す透明アクリル板６の表面に印刷された絵柄であり、絵柄２から４は図２に示す半透明アクリル板７の表面に印刷された絵柄であるため、絵柄１から４よりも、透明アクリル板６の厚み分だけ手前に見える。【００１１】  このように、本実施例の立体視検査器では、少なくとも２以上の同一の絵柄が、大きさと傾きを同一に保ったまま、透明または透光性を有する多層構造の異なる複数層に、正面から見たときに各々の絵柄が重ならないように配置される。かかる立体視検査器を用いることで、正面から見たときに該絵柄の奥行が一つだけ異なって見え、被験者にどの絵柄の奥行きが異なるかを答えさせることで、その奥行差が認識可能かどうかを検査できる。【００１２】  また、図３は透明アクリル板６の正面図であり、透明アクリル板６の表面に絵柄１が印刷されている様子を示している。透明アクリル板６の正面側には保護層となる透明アクリル板５が配置されている。また、図４は半透明アクリル板７の正面図であり、半透明アクリル板７の表面に絵柄２から４が印刷された状態を示す。半透明アクリル板７の奥方向には不透明で白色のアクリル板８が配置されている。【００１３】  このように、アクリル板の多層構造において、最も奥方向に配置された絵柄２から４の背後に半透明な層となる半透明アクリル板７と、着色された層となる不透明白色アクリル板８とを順に有するように形成することで、正面から入射した光によって生まれる絵柄から４の影が拡散され、前記正面から見たときに強い光が入射していても該影が見えにくくなるという効果を奏することができる。【００１４】  透明アクリル板５、６、半透明アクリル板７及び不透明白色アクリル板８は互いに透明接着材により接着するか、あるいはネジ止めにより結合しても良い。
【符号の説明】
【００１５】  １  絵柄
２  絵柄
３  絵柄
４  絵柄
５  透明アクリル板
６  透明アクリル板
７  半透明アクリル板
８  不透明白色アクリル板
【図１】
0003212683.tif 000003
【図２】
0003212683.tif 000004
【図３】
0003212683.tif 000005
【図４】
0003212683.tif 000006